(57)【要約】【課題】自動車に搭乗する前に、アルコール酩酊度の検知を行うことができると共にカラオケの歌唱時のマイクロホンの使用に際して、簡便に検出結果を表示出来るようにすること。【解決手段】カラオケ装置で、マイクロホン９に、アルコール濃度を検出するアルコールセンサー１２と、該アルコールセンサー１２により検出されたアルコール濃度のレベルを判断し、その濃度に応じた所定の信号を発信する発信手段２２を設け、画像モニター６に、前記発信手段２２の信号を受信する受信手段２４を設けると共に前記アルコール濃度の信号を画像上に出力する濃度レベル出力手段１３を設けた。【選択図】      図１
2004258597.tif 000002
【特許請求の範囲】
【請求項１】
音声信号を無線発信する機能を備えたマイクロホン９及び前記音声信号を受信する受信機能を備えた画像モニター６から構成され、指定楽曲を選定することにより伴奏音楽と画像とを前記画像モニター６に出力するように構成したカラオケ装置であって、
前記マイクロホン９に、アルコール濃度を検出するアルコールセンサー１２と、該アルコールセンサー１２により検出されたアルコール濃度のレベルを判断し、その濃度に応じた所定の信号を発信する発信手段２２を設け、
前記画像モニター６に、前記発信手段２２の信号を受信する受信手段２４を設けると共に前記アルコール濃度の信号を画像上に出力する濃度レベル出力手段１３を設けた、
ことを特徴とするアルコール検出機能付きカラオケ装置。
【請求項２】
前記アルコールセンサー１２がマイクロホン９の上部外側に設けられている、請求項１のアルコール検出機能付きカラオケ装置。
【請求項３】
前記アルコールセンサー１２がマイクロホン９の上部のカウリング２３の内部に収納されている、請求項１のアルコール検出機能付きカラオケ装置。
【発明の詳細な説明】
【０００１】
【発明の属する技術分野】
本発明は、カラオケ装置に関し、詳しくは、音声信号を無線発信する機能を備えたマイクロホン及び前記音声信号を受信する受信機能を備えた画像モニターから構成され、指定楽曲を選定することにより伴奏音楽と画像とを前記画像モニターに出力するように構成したカラオケ装置に関する。
【０００２】
【従来の技術】
昨今の交通事故の多発において、中でも飲酒運転は最も危険且つ重大な結果を招く。ここに罰金、免許停止等の法的処置が強化されるに至っている。尤も、人身事故に至れば、弁解の余地はなく、賠償責任は勿論のこと、厳しい罪科が科せられることになる。
【０００３】
そこで、こうした飲酒運転を防ぐ方法として、運転者がその酩酊度を客観的に自覚することができるように、アルコール検出装置が開発されており、例えば、特開平８−１４５９２８号公報に開示されている。また、このようなアルコール検出装置を、自動車に搭載し、ドライバーの酒気を検知して表示できるようにする方法も、例えば、特開平９−２９２３５４号公報において、提案されている。
【０００４】
【発明が解決しようとする課題】
上述したアルコール検出装置は、例えば、飲酒運転の取り締まりの一方法として用いられるものであり、この時には、ドライバーが飲酒して運転しているの検問、停止させて行うのであるから、既にドライバーの飲酒運転が行われた後の検知ということになり、実効上問題があることは明らかである。
【０００５】
また、アルコール検出装置を自動車に搭載してある場合でも、ドライバーは、飲酒後に自動車に戻ってきて、自動車にキーを差込み、その後に検知が行われることになるので、酩酊しているドライバーが検出結果を冷静に受け止め、酩酊度を十分に認識できるかどうか疑わしいものであり、また、認識できたとしても、既に、自動車に搭乗してしまっている状態においては、この程度では大丈夫との勝手な自己判断（特に独りで運転する場合）が出てくる虞が多分にある。
【０００６】
そこで、本発明者は、こうした問題を確実に解決するために、先に、特願２００２−２９９６０７を提案している。ここでは、最近に酒こうと歌とを同時に楽しめるカラオケ（ボックス或いはスナックなど）の後に、酩酊した飲酒運転を行わないように出来ないものかと考え、音声信号を無線発信する機能を備えたマイクロホン及び前記音声信号を受信する受信機能を備えた画像モニターから構成され、指定楽曲を選定することにより伴奏音楽と画像とを前記画像モニターに出力するように構成したカラオケ装置において、そのマイクロホンにアルコールセンサーを設け、歌唱に際してアルコールを検知して酩酊度を明らかにし、表示する発明を提案している。
【０００７】
これによって、カラオケを楽しむ場において、アルコール検知が行い得て、その酩酊度を客観的に把握することが出来て、自動車に乗る前に、第三者の前で注意を喚起してもらうことができて、自制心に乏しい意思の弱い人でも、飲酒運転を回避することが出来る。
【０００８】
本発明は、こうした自動車に搭乗する前に、アルコール酩酊度の検知を行うことができると共にカラオケの歌唱時のマイクロホンの使用に際して、簡便に検出結果を表示出来るようにすることを目的とする。
【０００９】
【課題を解決するための手段】
本発明にかかるアルコール検出機能付きカラオケ装置は、上記目的を達成するべく、音声信号を無線発信する機能を備えたマイクロホン９及び前記音声信号を受信する受信機能を備えた画像モニター６から構成され、指定楽曲を選定することにより伴奏音楽と画像とを前記画像モニター６に出力するように構成したカラオケ装置であって、前記マイクロホン９に、アルコール濃度を検出するアルコールセンサー１２と、該アルコールセンサー１２により検出されたアルコール濃度のレベルを判断し、その濃度に応じた所定の信号を発信する発信手段２２を設け、前記画像モニター６に、前記発信手段２２の信号を受信する受信手段２４を設けると共に前記アルコール濃度の信号を画像上に出力する濃度レベル出力手段１３を設けた、という手段を講じたものである。
【００１０】
本発明において、前記アルコールセンサー１２がマイクロホン９の上部外側に設けられているのが好ましい。
また、前記アルコールセンサー１２がマイクロホン９の上部のカウリング２３の内部に収納されていてもよい。
【００１１】
【発明の実施の形態】
本発明において、歌唱者がカラオケ装置のマイクロホン９に呼気を吹き付けると、マイクロホン９に併設されたアルコールセンサー１２が呼気中のアルコール濃度を検出する。すると濃度レベル出力手段１３は、アルコール濃度のレベルを判断し、その濃度に応じた所定の信号を発信手段２２から発信し、これを、そのカラオケ装置の画像モニター６に備えた受信手段２４を経て、その濃度レベルと、その濃度レベルに対応したメッセージを出力する。これにより、歌唱者はカラオケを楽しみながら、自分の酩酊度を客観的に知ることができる。
【００１２】
ここにいうカラオケ装置とは、既存の種々のタイプの装置を言い、画像モニター６も、歌詞表示と曲の同期表示のものも、同期していないタイプのものも適用できる。
また、酩酊度を示すメッセージも、歌唱力を表示するのと同様の画面上の数値表示、棒グラフ表示等、適宜の表示方法が適用で、合わせて、音声による表示も用い得る。
【００１３】
次に、濃度レベル出力手段１３が備えるバージョン選択手段２０により、歌唱者が、ビジネスマンか、男女カップルか、其の他のグループ等のいずれに属するかに対応してバージョンを選択する。すると、上記選択したバージョンと検知したアルコールの濃度レベルに対応したメッセージが画像モニター６に出力される。これにより、歌唱者は選択したバージョンに対応したメッセージを画像で知ることにより、酔い覚ましの時間を費やしながら、カラオケを楽しむことができる。
【００１４】
また、上記濃度レベル出力手段１３は、上述した如く、カラオケ装置のスピーカー８をも介して上記メッセージを出力する。これにより、歌唱者は選択したバージョンに対応したメッセージを音声で知ることにより、カラオケを一層楽しむことができる。
【００１５】
【実施例】
以下、本発明の実施形態を添付図面に基づいて説明する。
図１は本発明に係るアルコール検出機能つきカラオケ装置の概略構成図、図２はそのアルコール検出手段の概略ブロック図、図３は図２中のＲＯＭに記憶された制御プログラムのフローチャートである。
【００１６】
先ず、このアルコール検出機能つきカラオケ装置の概要について説明する。このカラオケ装置は、図１に示すように、コンピュータの本体である中央制御部１と、この中央制御部１とデータバス２及び制御バス３を介してそれぞれ連結された、ビデオＣＤプレーヤ４、画像制御部５及び画像モニター６、音声の無線受信手段２５及び濃度レベル出力手段１３の発信手段２２（後述）からの信号を受信する受信手段２４を備えた音声制御部７と、これに連結されたスピーカー８、音声の無線発信手段２６を備えたマイクロホン９、カラオケデーター収納部１０、カラオケ操作制御部１１、及び本発明に係る前記マイクロホンに備えたアルコールセンサー１２と濃度レベル出力手段１３及びそのレベル信号の発信手段２２とから成る。これによって、指定楽曲を選定することにより、伴奏音楽と歌詞画像とを同期して、それぞれスピーカー８と画像モニター６に出力し、歌唱者の歌唱力に応じてその得点を表示するとともに、歌唱者の呼気に含まれているアルコール濃度を画像モニター６に表示するように構成されている。
【００１７】
上記中央制御部１は、内部にＣＰＵ、ＲＡＭ、ＲＯＭを含み、データバス２や制御バス３を介して各構成部４〜１１を統括制御する。即ち、この中央制御部１は、カラオケ操作制御部１１を介してリクエストデーターを受け取り演奏予約を登録する。そして順次カラオケデーター収納部１０から該当するカラオケデーターを取り出し、音声制御部７を介して伴奏音楽と歌唱音声をスピーカー８に出力する。他方、歌詞はビデオプレーヤ４から出力される背景画像に合成され、伴奏音楽の生成と同期して画像モニター６に表示される。上記音声制御部は、図示しない歌唱力得点集計機能をも備え、その歌唱者の得点は画像モニター６に表示される。
【００１８】
以下、本発明に係るアルコール検出機能について説明する。
図４に示すように、前記アルコールセンサー１２は、カラオケ装置のマイクロホン９の上部外側に、検出されたアルコール濃度に応じた所定の信号を発信する発信手段２２と共に着脱自在に組み付けられており、歌唱者の呼気中に含まれているアルコール成分を検出する。このセンサー１２は周知のもので、センサー素子間に侵入したアルコール等のガスの電気抵抗が著しく変化する特性を利用してアルコール濃度を検出するように構成されている。なお、図２中のリセットタイマー１９のオン作動により、先に検出されたアルコール濃度がリセットされ、次のアルコール濃度の検出が可能になる。
【００１９】
前記アルコールの濃度レベル出力手段１３は、図２に示すように、アルコールセンサー１２からの出力信号をＡ／Ｄ変換する変換器１４と、各種情報を所定のプログラムに基づいて処理をする制御部１５と、検出したアルコールの濃度情報を記憶するＲＡＭ１６と、所定の処理プログラム（図３）を記憶するＲＯＭ１７と、アルコールの濃度レベルを判別するための判別基準メモリ１８と、センサー１２が再検出可能になる一定時間経過を計数してアルコール濃度をリセットするリセットタイマー１９と、歌唱者がビジネスマンか、男女のカップルか、其の他のいずれのグループに属するかに対応して選択するバージョン選択手段２０と、アルコール濃度の検出結果を選択したバージョンに応じて前記画像モニター６とスピーカー８に出力する出力ドライバー２１とを備え、従来のカラオケ装置の各バス２・３に簡単に接続可能で、容易に組み込むことができる。以下、図３に基づいて本実施形態のアルコール濃度検出機能を説明する。
【００２０】
図３に示すように、ステップＳ１では、歌唱者がビジネスマンか、男女のカップルか、其の他のいずれのグループに属するかに対応して、人手を介してバージョン選択手段２０を選択する。ステップＳ２では、予め登録されている順番に従ってカラオケがスタートする。即ち、伴奏音楽と歌詞画像とが同期して、それぞれスピーカー８と画像モニター６に出力される。
【００２１】
次に、ステップＳ３では、カラオケの前奏曲の間に「大きく息を吸ってマイクロホン９（及びこれと一体のセンサー１２）に呼気を吹きかけて下さい」というような表示が画像モニター６に映し出され、次いでステップＳ４では、センサー１２によるアルコール濃度の検知が開始される。所定時間後にステップＳ４でセンサー１２によるアルコール濃度の検知が終了する。それらの濃度データは、平均数値化されて一旦ＲＡＭ１６に記憶される。なお、平均数値化するのは検出誤差を小さくするためである。
【００２２】
次いで、ステップＳ６では、上記濃度データが前記判別基準メモリ１８内に記憶されている基準データと比較され、例えば３つのランクに分別される。即ち、Ａランクはアルコールが殆ど検知されず車の運転に全く支障がない場合、Ｂランクはアルコールが少し検知された場合、Ｃランクはアルコールがかなり多く検知された場合を例示している。
【００２３】
そして、カラオケ終了時に、歌唱力の得点と共に、ステップＳ７−１、Ｓ７−２、Ｓ７−３では、平均数値化されたアルコールの濃度データが各ランクに応じて前記画像モニター６に表示される。この場合、検出したアルコール濃度を棒グラフ状に表示させるようにしても良い。さらに、前記バージョンに応じて、アルコール濃度の各ランク付けに相当するメッセージが画像モニター６に表示されるとともに、スピーカー９から音声で出力される。ステップＳ８では、前記リセットタイマー１９が作動して、ＲＡＭ１６内のアルコール濃度をリセットし、次の歌唱者のアルコール濃度の検出に備える。
【００２４】
ちなみに、前記バージョンに応じて、アルコール濃度の各ランク付けに相当するメッセージを例示する。
［バージョン１］：一般向け
Ａランク：運転しても大丈夫ですが、気をつけてお帰りください。
Ｂランク：アルコールが検知されました。後ほどもう一度チェックして下さい。
Ｃランク：ひどく酔っています。車を置いてお帰りなさい。
【００２５】
［バージョン２］：ビジネスマン向け
Ａランク：今日も元気だお酒が美味い、酔いも醒めたし帰ろうか。
Ｂランク：マイク離してお冷を一つ、しばし待つ間に酔い覚まし。
Ｃランク：ちょっと座って食事もとって今夜は深酒程ほどに。
［バージョン３］：団体客向け
Ａランク：酔いも醒めたし今夜の殿は唄も弾んで絶好調。
Ｂランク：もう少し唄って騒いで酔い覚ませ。
Ｃランク：マイク代わりにジョッキを持って歩く姿も千鳥足。
［バージョン４］：男女カップル向け
Ａランク：酔いも醒めたし今夜の二人、早く帰ってひとしごと。
Ｂランク：覚める前うそか本気かラブコール。
Ｃランク：とても綺麗だ今宵の貴女、心身融ける酔い心地。
この他に、酩酊度が高いという表示と、歌唱力の表示とを掛け合わせ、酩酊している割には歌唱力が発揮できているとする表示も１つの表現方法として利用である。
【００２６】
図５は、アルコールセンサー１２をマイクロホン９に敷設する別の態様の例を示すもので、ここでは、マイクロホン９の上部のカウリング２３（ダイヤフラムを覆う）に、そのアルコールセンサー１２が内蔵されている。この場合、小型のアルコールセンサー１２よりは嵩高の上記発信手段２２をも内蔵するべく、マイクロホン９のカウリング２３の一部を変形して内部スペースを拡大するようにするか、全体の形状を適宜に設計変更してもよい。尚、前記発信手段２２の電源用電池は、別途設けても、音声用の発信手段２５のものを共用するように構成してもよい。
【００２７】
【発明の効果】
本発明によれば、飲酒を伴うカラオケの遊行において、自動車の運転に臨む以前に、客観的に酩酊度を認識でき、しかも、第三者のいる前で注意を喚起できて、自他共に未然に飲酒運転を回避させることが出来る。
そして、このアルコールのチェックを、歌唱に際してカラオケのマイクロホンを使用する時に無線通信によって、画像モニター等で表示出来るので、格別に改まった検査を行うわけではなく、歌を楽しみながら自動的に気軽にチェックできる。
本発明のその他の利点については、上記発明の実施の態様の項及び実施例の項において詳述した通りである。
【図面の簡単な説明】
【図１】本発明にかかるアルコール検出機能付きカラオケ装置の概略構成図である。
【図２】本発明にかかるアルコール検出機能付きカラオケ装置のアルコール検出手段の概略ブロック図である。
【図３】本発明にかかるアルコール検出機能付きカラオケ装置の図２中のＲＯＭに記憶された制御プログラムのフローチャートである。
【図４】本発明にかかるアルコール検出機能付きカラオケ装置の全体の概略図である。
【図５】本発明にかかるアルコール検出機能付きカラオケ装置のマイクロホンの別態様を示す要部の縦断側面図である。
【符号の説明】
９  マイクロホン
６  画像モニター
１２  アルコールセンサー
１３  濃度レベル出力手段
２２  発信手段
２３  カウリング
２４  受信手段
【図１】
2004258597.tif 000003
【図２】
2004258597.tif 000004
【図３】
2004258597.tif 000005
【図４】
2004258597.tif 000006
【図５】
2004258597.tif 000007